(57)【要約】      （修正有）【課題】外出時に天候が急変して風混じりの雨が降った場合でも、風の力でブラインドの羽が閉じる方向に回動することで室内に雨が吹き込むことを防止する雨よけブラインドを提供する。【解決手段】窓枠とほぼ同じ形状のブラインド枠１と、断面形状が「へ」字であり、屈曲部がほぼ重心となるように屈曲部の両側部分の重量をほぼ等分した構造であって、屈曲部の位置に設けた円筒軸とブラインド枠に設けた固定軸３により地面に対して鉛直方向に回動自在となるようにブラインド枠の水平方向に取り付けた複数の羽２とを有し、外部からの風の力により複数の羽が閉じる方向に回動し、風がなくなった場合には初期状態に戻ることができるようにした。【選択図】図１
0003198547.tif 000002
【実用新案登録請求の範囲】
【請求項１】
窓枠とほぼ同じ形状のブラインド枠と、断面形状が「へ」字形状であり、前記断面形状の屈曲部がほぼ重心となるように前記屈曲部の両側部分の重量をほぼ等分した構造であって、前記屈曲部の位置に設けた円筒軸と前記ブラインド枠に設けた固定軸により地面に対して鉛直方向に回動自在となるように前記ブラインド枠の水平方向に取り付けた複数の羽とを有し、外部からの風の力により複数の前記羽が閉じる方向に回動し、風がなくなった場合には初期状態に戻ることができるようにしたことを特徴とする雨よけブラインド。
【請求項２】
前記羽の「へ」字形状の外側領域部が鉛直方向より室内側に回動することを防止するための回転止め突起を前記ブラインド枠に設けたことを特徴とする請求項１に記載の雨よけブラインド。
【請求項３】
複数の前記羽の長さ方向に沿って、前記羽の室内側領域と直交する方向に風抑止羽をさらに設け、室外の斜め下から吹き込む風により前記羽が閉じる方向に回動するようにしたことを特徴とする請求項１又は２に記載の雨よけブラインド。
【請求項４】
前記円筒軸の断面形状を楕円形状にして、初期状態で長円部が地面に対して上となるように前記羽と剛結したことを特徴とする請求項１から３までのいずれか１項に記載の雨よけブラインド。
【請求項５】
複数の前記羽の室内側領域を押し上げるための連結棒と、前記連結棒を鉛直方向に移動させるための引き上げ紐と、前記連結棒を一定距離移動させた後に位置を固定するための固定手段とをさらに設けたことを特徴とする請求項１から４までのいずれか１項に記載の雨よけブラインド。
【考案の詳細な説明】
【技術分野】
【０００１】
本考案は窓に設けて雨が室内に吹込むのを防ぐブラインド関する。
【背景技術】
【０００２】
天気の良い日などにおいては、２階以上で防犯上の問題がない位置にある窓などは開放したまま外出することがある。しかし、出かけるときには晴れていても天気が急変して雨が降り出すことも多い。その場合、雨と一緒に風が強く吹くと雨が室内に吹き込んで室内を濡らしてしまうことがある。特に、近年の戸建て住宅においては、軒の無い家や直壁に窓を設けた住宅も多くなっており、これらの窓では雨戸もないことが多い。一般に、遮光や雨の吹き込みを防止するための対策としてカーテンやブラインドを用いている。しかし、カーテンは強い風と一緒に雨が降るような場合には、雨よけ効果はほとんど期待できない。また、ブラインドは、一般に羽が一定の角度に固定されるため、例えば羽を水平に近い角度にして風を引き込みやすくしていた場合には、突然の気象変化が生じると雨が室内に吹き込むことは避けられないという課題があった。
このような課題に対して、既存の窓枠にカセット式にはめ込み使用するものであって、ブラインドの羽根を「へ」の字にすることにより雨が室内に吹き込まないようにした構造からなる雨よけを併用したブラインドが開示されている（特許文献１参照）。
【先行技術文献】
【特許文献】
【０００３】
【特許文献１】実登３０６７０５５号
【考案の概要】
【考案が解決しようとする課題】
【０００４】
上記先行技術文献に係る考案は、窓枠のガラス窓、網戸あるいは雨戸のレールの間隔にはめ込めるようにしたブラインドであり、取り付けは容易である。また、ブラインドの羽を「へ」の字状に丸みを持たせることで雨が室内に吹き込むことを防ぐ方法もとられてはいる。しかし、ブラインドの羽の角度は固定されているため、ブラインドの羽を全開にした状態で外出した場合、天候の急変によりの気象の変化により雨混じりの風により雨が室内に吹き込み室内を濡らしてしまうことについては十分な対策がなされていなかった。
本考案は、上記従来の課題を解決するためになされたもので、外出時に天候が急変して風混じりの雨が降った場合であっても、風の力でブラインドの羽が閉じる方向に回動することで室内に雨が吹き込むことを防止する雨よけブラインドを提供することを目的とする。
【課題を解決するための手段】
【０００５】
上記課題を解決するために本考案の雨よけブラインドは、本考案の雨よけブラインドは、窓枠とほぼ同じ形状のブラインド枠と、断面形状が「へ」字形状であり、この断面形状の屈曲部がほぼ重心となるように屈曲部の両側部分の重量をほぼ等分した構造であって、屈曲部の位置に設けた円筒軸とブラインド枠に設けた固定軸により地面に対して鉛直方向に回動自在となるようにブラインド枠の水平方向に取り付けた複数の羽とを有し、外部からの風の力により複数の羽が閉じる方向に回動し、風がなくなった場合には初期状態に戻ることができるようにしたことを特徴とする。
この場合において、複数の羽の長さ方向に沿って羽の室内側領域と直交する方向に風抑止羽をさらに設け、室外の斜め下から吹き込む風により羽が閉じる方向に回動するようにしてもよい。
さらに上記場合において、円筒軸の断面形状を楕円形状にして、初期状態で長円部が地面に対して上となるように羽と剛結した構造としてもよい。
さらに上記場合において、複数の羽の室内側領域を押し上げるための連結棒と、この連結棒を鉛直方向に移動させるための引き上げ紐と、連結棒を一定距離移動させた後に位置を固定するための固定手段とをさらに設けてもよい。
【考案の効果】
【０００６】
本考案の雨よけブラインドは、羽を「へ」字形状とし、屈曲部に設けた円筒軸とブラインド枠に設けた固定軸により羽が回動自在としたものであり、室外から突風が吹きこむと羽が押されて閉じる方向に回動する。このために、雨混りの風が吹いた場合に室内に雨が吹き込むことを防ぐことができる。したがって、窓を開けたまま外出し、天候の急変で風混じりの雨が降っても急いで帰宅する必要がなくなる。また、羽の室内側領域を押し上げるための連結棒と、連結棒を鉛直方向に移動させるための引き上げ紐と、連結棒を一定距離移動させた後に位置を固定するための固定手段とをさらに設ければ、各羽根を任意の角度に固定することもできるので、大きく開いておきたい場合やほぼ閉じておきたい場合など自由に設定することもできる。
【図面の簡単な説明】
【０００７】
【図１】本考案の実施例１にかかる雨よけブラインドを開いた初期状態の斜視図である。
【図２】図１に示す状態の断面図である。
【図３】同実施例にかかる雨よけブラインドが風により閉じた状態を示す斜視図である。
【図４】図３に示す状態の断面図である。
【図５】本考案の実施例２にかかる雨よけブラインドを開いた初期状態の斜視図である。
【図６】図５に示す状態の断面図である。
【図７】同実施例にかかる雨よけブラインドが風により閉じた状態を示す斜視図である。
【図８】図７に示す状態の断面図である。
【図９】本考案の実施例３にかかる雨よけブラインドを開いた初期状態の斜視図である。
【図１０】図９に示す状態の断面図である。
【図１１】図１０に示すＡ部分の拡大断面図である。
【図１２】同実施例にかかる雨よけブラインドにおいて、羽を半開きにした状態を示す断面図である。
【図１３】図１２に示すＢ部分の拡大断面図である。
【図１４】同実施例にかかる雨よけブラインドの構造を説明するための部分拡大斜視図である。
【図１５】同実施例にかかる雨よけブラインドを閉じた状態の斜視図である。
【図１６】図１５に示す状態の断面図である。
【図１７】図１６に示すＣ部分の拡大断面図である。
【考案を実施するための形態】
【０００８】
以下、本考案の実施の形態を図に基づいて説明する。
【実施例１】
【０００９】
以下、本考案の実施例１の雨よけブラインドについて図面を参照しながら詳細に説明する。図１は、本実施例にかかる雨よけブラインドを開いた初期状態の斜視図である。図２は、図１に示す状態の断面図である。図３は、同実施例にかかる雨よけブラインドが風により閉じた状態を示す斜視図である。図４は、図３に示す状態の断面図である。
以下これらの図を用いて本実施例にかかる雨よけブラインドの構造と機能について説明する。
本実施例の雨よけブラインドは、窓枠とほぼ同じ形状のブラインド枠１と、断面形状が「へ」字形状であり、この断面形状の屈曲部がほぼ重心となるように屈曲部の両側部分の重量をほぼ等分した構造であって、屈曲部の位置に設けた円筒軸４とブラインド枠に設けた固定軸３により地面に対して鉛直方向に回動自在となるようにブラインド枠１の水平方向に取り付けた複数の羽２とを有し、外部からの風の力により複数の羽２が閉じる方向に回動し、風がなくなった場合には初期状態に戻ることができるようにしたことを特徴とする。
本実施例の雨よけブラインドはブラインドの羽２を「へ」字形状からなり、曲げた頂点部、すなわち屈曲点の内側に円筒軸４を設け、この円筒軸４を中心に回動自在にしたものである。初期状態は一般的に開放状態であるが、円筒軸４の両側の重さがほぼ同じになるように設計されており、かつ外側の羽部分が長くなっているので、図２に示すように内側の羽部分に比べて少し垂れ下がった状態となる。したがって、室外からの突風が吹きこむと、風が羽２の外側部分の羽を押すように力が働き、羽２は図３及び図４に示すように回動して窓を塞ぎ、雨水の侵入を防止することができる。この時、羽２の「へ」字形状の外側領域部が鉛直方向より室内側に回動することを防止するための回転止め突起１ａを前記ブラインド枠１の内側各羽２毎に設ける。
風が止まれば、再び初期状態に戻るので室内のそよ風を入れることができ、室内の温度が高くなることを防ぐことができる。
【実施例２】
【００１０】
本考案の実施例２にかかる雨よけブラインドについて図面を参照しながら説明する。図５は、本実施例にかかる雨よけブラインドを開いた初期状態の斜視図である。図６は、図５に示す状態の断面図である。図７は、同実施例にかかる雨よけブラインドが風により閉じた状態を示す斜視図である。図８は、図７に示す状態の断面図である。
以下、これらの図面を用いて本実施例にかかる雨よけブラインドの構造と機能について説明する。
本実施例の雨よけブラインドは、窓枠とほぼ同じ形状のブラインド枠１と、断面形状が「へ」字形状であり、この断面形状の屈曲部がほぼ重心となるように屈曲部の両側部分の重量をほぼ等分した構造であって、屈曲部の位置に設けた円筒軸４とブラインド枠１に設けた固定軸３により地面に対して鉛直方向に回動自在となるようにブラインド枠１の水平方向に取り付けた複数の羽２とを有し、さらに複数の羽２の長さ方向に沿って羽２の室内側領域２ａと直交する方向に風抑止羽５をさらに設けた構造からなる。
このような構造とすることにより、外部からの風の力により複数の羽２が閉じる方向に回動し、風がなくなった場合には初期状態に戻ることができるだけでなく、室外の斜め下から吹き込む風によっても羽２が閉じる方向に回動するので、より有効に雨水の室内への吹き込みを防止することができる。
なお、この場合に重心の位置は屈曲点近傍とすることが好ましいので、屈曲部の室内側部分及び風抑止羽５と室外側部分の重さをほぼ同じように設計することが望ましい。
【実施例３】
【００１１】
本考案の実施例３にかかる雨よけブラインドについて、図面を参照しながら説明する。図９は、本実施例にかかる雨よけブラインドを開いた初期状態の斜視図である。図１０は、図９に示す状態の断面図である。図１１は、図１０に示すＡ部分の拡大断面図である。図１２は、同実施例にかかる雨よけブラインドにおいて、羽を半開きにした状態を示す断面図である。図１３は、図１２に示すＢ部分の拡大断面図である。図１４は、同実施例にかかる雨よけブラインドを半開きにした状態も構造を説明するための部分拡大斜視図である。図１５は、同実施例にかかる雨よけブラインドを閉じた状態の斜視図である。図１６は、図１５に示す状態の断面図である。図１７は、図１６に示すＣ部分の拡大断面図である。
以下、これらの図面を用いて本実施例に係る雨除けブラインドの構造について詳細に説明する。
本実施例の雨よけブラインドは、窓枠とほぼ同じ形状のブラインド枠１と、断面形状が「へ」字形状であり、この断面形状の屈曲部がほぼ重心となるように屈曲部の両側部分の重量をほぼ等分した構造であって、屈曲部の位置に設けた円筒軸４とブラインド枠に設けた固定軸３により地面に対して鉛直方向に回動自在となるようにブラインド枠１の水平方向に取り付けた複数の羽２とを有、さらに、複数の羽２の長さ方向に沿って羽２の室内側領域２ａと直交する方向に風抑止羽５を設けている。
また、本実施例では、図１１に示すように円筒軸４の断面形状を楕円形状にして、初期状態で長円部が地面に対して上となるように羽２と剛結している。さらに、複数の羽２の室内側領域２ａを押し上げるための連結棒６と、この連結棒６を鉛直方向に移動させるための引き上げ紐７と、連結棒６を一定距離移動させた後に位置を固定するための固定手段１０とを設けた構造からなる。
引き上げ紐７はブラインド枠１に取り付けられた滑車９を介して連結棒６に固定されている。この引き上げ紐７の一方の端部は、室内に垂れ下がっており、この引き上げ紐７を引っ張ることで、この引き上げ紐７に固定されている連結棒６を引き上げることができる。そして、連結棒６を引き上げたときに引き上げ紐７を放しても、固定手段１０により固定されるので連結棒６は落ちることがない。羽２は、羽止め８により連結棒６が上方向に移動するともに室内側領域２ａも引き上げられる。そして、一定の距離を移動すると固定手段１０により、その位置が固定される。なお、本実施例では、固定手段１０はカム機構から構成されており、カム軸１３を中心にして回動する。
図９から図１１は、羽２がほぼ水平状態の場合の構造である。この状態では、羽２については実施例１とほぼ同じように円筒軸４と固定軸３により下方向には自由に回動可能であるので、室外から風が吹き込むときには風の力で羽が閉じ、雨水の浸入を防ぐことができる。
次に、図１２と図１４を用いて、羽２を半開きにした状態とした場合について説明する。引き上げ紐７を引っ張り、連結棒６を引き上げて羽２を所定の半開き状態にする。引上げ紐７を放しても、固定手段１０により固定されるので連結棒６は落ちることがなく、したがって羽２の室内側領域２ａも引き上げられる。しかし、羽２自体は下方向に向かっては自由に回動できるので、外部から風が吹けば羽２を閉じる方向には動くことから雨混じりの風が吹いても室内がぬれることがない。
さらに、図１５から図１７を用いて、羽２を閉じた状態とした場合について説明する。引上げ紐７をさらに引っ張ると連結棒６が最上位置まで引き上げられるが、固定手段１０により固定されるので、その位置で固定される。そうすると、羽２はそれぞれ下の羽２と接触することになり、下向きの回動も制約される。このような状態は羽２が閉じた状態であり、外部から風が吹き込んでも羽２自体は回動しない。
羽２を回動自在にするためには、引上げ紐７をさらに引っ張り、連結棒６を最も上の位置まで引き上げると、カム解除スイッチ１１が固定手段１０を押し上げ、その先端部は連結棒６から離れた状態となる。これにより、連結棒６を最下位位置まで降ろすことが出来る。最下位位置まで降りると、カム解除スイッチ１１が固定手段１０の先端部を上から押さえることによって、固定手段１０の先端部が連結棒６を押さえるようになる。なお、固定手段１０は連結棒６が最上位に上がった状態では固定されるが、それ以外の状態では自由に回転できるようにカム軸１３で少しの遊びを持たすよう調整することが好ましい。なお、引上げ紐７を一番上まで引き上げても固定手段１０はカム止めスイッチ１２により位置が規制されるような構成となっている。
本実施例に係る雨除けブラインドは、羽２をほぼ水平状態の開いた状態、閉じた状態及びその中間の半開き状態で保持することができる。そして、開いた状態と半開き状態とでは、風が吹いたときに羽２を下方向、すなわち羽２が閉じる方向に回動自在であるので、風混じりの雨が降っても室内に雨が吹き込むことを防ぐことができる。
なお、羽２の材料として剛性の高い金属や樹脂材料を用いることで、雨戸        
としての機能も有するようにすることができる。さらに、円筒軸４あるいは固定軸３の材料として剛性の高い金属を用いることにより、面格子としての機能も機能有するようにすることもできる。また、羽２の材料として透明資材を用いることにより室外の光を効率的に取り込むことができ、室内を明るくしたり、太陽熱により温めたりすることもできる。    
【産業上の利用可能性】
【００１２】
本考案は、住宅の窓に利用し、雨混じりの風により室内に雨が吹き込むことを防止でき、住宅窓に装着する高機能のブラインド分野に有用である。
【符号の説明】
【００１３】
１  ブラインド枠
１ａ  回転止め突起
２  羽
２ａ  羽２の室内側領域
３  固定軸
４  円筒軸
５  風抑止羽
６  連結棒
７  引き上げ紐
８  羽止め
９  滑車
１０  固定手段
１１  カム解除スイッチ
１２  カム止めスイッチ
１３  カム軸
【図１】
0003198547.tif 000003
【図２】
0003198547.tif 000004
【図３】
0003198547.tif 000005
【図４】
0003198547.tif 000006
【図５】
0003198547.tif 000007
【図６】
0003198547.tif 000008
【図７】
0003198547.tif 000009
【図８】
0003198547.tif 000010
【図９】
0003198547.tif 000011
【図１０】
0003198547.tif 000012
【図１１】
0003198547.tif 000013
【図１２】
0003198547.tif 000014
【図１３】
0003198547.tif 000015
【図１４】
0003198547.tif 000016
【図１５】
0003198547.tif 000017
【図１６】
0003198547.tif 000018
【図１７】
0003198547.tif 000019